(57)【要約】【課題】所望の彫刻刀を容易に取り出すことができる彫刻刀ケースを提供することである。【解決手段】蓋３に突起４１ａ、４１ｂを設け、容器本体２の底壁７に孔１１ａ、１１ｂを設ける。容器本体２の底壁７上にリフト部材５を配置し、リフト部材５で孔１１ａ、１１ｂを塞ぐ。リフト部材５上には彫刻刀４ａ〜４ｅが載置されている。この容器本体２を、蓋３の上に載置する。蓋３の突起４１ａ、４１ｂは、孔１１ａ、１１ｂを貫通して底壁７から上方に突出し、リフト部材５を押し上げる。その結果、彫刻刀４ａ〜４ｅは、容器本体２から露出し、取り出し易くなる。【選択図】図１２
2014018238.tif 000002
【特許請求の範囲】
【請求項１】
複数の彫刻刀を収容する容器本体と、容器本体を開閉する蓋とを有する彫刻刀ケースにおいて、
前記容器本体は、収容する彫刻刀よりも底部側にリフト部材を有し、
容器本体の底部には孔が設けてあり、
前記蓋は、突出部を有しており、
前記容器本体の底部に蓋を重ねると、蓋の突出部が容器本体の孔に挿入されてリフト部材の一部又は全体を押し上げることを特徴とする彫刻刀ケース。
【請求項２】
前記リフト部材は、隣接する彫刻刀同士を仕切る仕切を有することを特徴とする請求項１に記載の彫刻刀ケース。
【請求項３】
リフト部材は、板状であって一端に回動軸を有し、
前記回動軸は、収容した彫刻刀と直交する方向にのび、
容器本体には、前記回動軸を支持する支持部を有することを特徴とする請求項１又は請求項２に記載の彫刻刀ケース。
【請求項４】
容器本体には、底部側から起立して彫刻刀の端部に当接するストッパが設けてあり、前記ストッパは、リフト部材の隣接する仕切の中央に配置されており、リフト部材が押し上げられると、彫刻刀の端部はストッパから外れることを特徴とする請求項２に記載の彫刻刀ケース。
【請求項５】
前記蓋は、容器本体よりも一回り大きい器形状を有し、前記突出部は、器の内側に配置されていることを特徴とする請求項１乃至請求項４のいずれかに記載の彫刻刀ケース。
【発明の詳細な説明】
【技術分野】
【０００１】
本発明は、複数の彫刻刀を収容する彫刻刀ケースに関するものである。
【背景技術】
【０００２】
彫刻刀ケースには、複数種類の彫刻刀が収容される。彫刻刀ケースが大型化しないように、各彫刻刀はできるだけ密集させた状態で収容するのが好ましい。ところが、彫刻刀同士を密集させると、彫刻刀を取り出しにくくなる。彫刻刀を取り出す際に、従来は、彫刻刀に指先を引っかけ、所望の彫刻刀をケースから起こす等の工夫が必要であった。
【０００３】
そこで彫刻刀をケースから取り出し易くするために、特許文献１に開示されている彩色筆記具の容器のような構成を採用することが考えられる。特許文献１の彩色筆記具の容器では、裏返した蓋体の上に容器本体を載置し、筆記具のペン先側が柄尻側よりも高くなるように傾斜させる構成が開示されている。特許文献１に開示されている構成を採用することにより、筆記具が水平状態から傾斜状態となる分だけ筆記具が取り出し易くなる。
【先行技術文献】
【特許文献】
【０００４】
【特許文献１】特開２００６−２２４９６９号公報
【発明の概要】
【発明が解決しようとする課題】
【０００５】
ところで、特許文献１に開示されている構成では、容器本体が傾斜するものの、容器本体に対する筆記具の相対位置は変化しない。そのため、特許文献１の発明では、筆記具が容器本体の内部に深く収容された状態が維持されており、指先を差し入れなければ筆記具が取り出せない。そのため、依然として改善の余地がある。
【０００６】
そこで本発明は、所望の彫刻刀を容易に取り出すことができる彫刻刀ケースを提供することを課題とする。
【課題を解決するための手段】
【０００７】
上記課題を解決するための請求項１に記載の発明は、複数の彫刻刀を収容する容器本体と、容器本体を開閉する蓋とを有する彫刻刀ケースにおいて、前記容器本体は、収容する彫刻刀よりも底部側にリフト部材を有し、容器本体の底部には孔が設けてあり、前記蓋は、突出部を有しており、前記容器本体の底部に蓋を重ねると、蓋の突出部が容器本体の孔に挿入されてリフト部材の一部又は全体を押し上げることを特徴とする彫刻刀ケースである。
【０００８】
請求項１に記載の発明では、容器本体の底部に蓋を重ねると、蓋の突出部が容器本体の孔に挿入されてリフト部材の一部又は全体を押し上げるので、彫刻刀の一部又は全体がリフト部材でリフトされる。そのため、彫刻刀は容器本体から露出し、取り出し易くなる。また、蓋の突出部が、容器本体の孔に挿入されるので、蓋に対して容器本体が摺動しない。
また、容器本体から蓋を外すことができるので、蓋を容器本体の上方及び下方に配置して重ね易い。
【０００９】
請求項２に記載の発明は、前記リフト部材は、隣接する彫刻刀同士を仕切る仕切を有することを特徴とする請求項１に記載の彫刻刀ケースである。
【００１０】
請求項２に記載の発明では、リフト部材が、隣接する彫刻刀同士を仕切る仕切を有するので、リフト部材がリフト状態となり容器本体から露出しても、各彫刻刀同士の位置が固定される。
【００１１】
請求項３に記載の発明は、リフト部材は、板状であって一端に回動軸を有し、前記回動軸は、収容した彫刻刀と直交する方向にのび、容器本体には、前記回動軸を支持する支持部を有することを特徴とする請求項１又は請求項２に記載の彫刻刀ケースである。
【００１２】
請求項３に記載の発明では、板状のリフト部材の回動軸が、容器本体の支持部で支持されているので、容器本体の底部側に蓋を重ね、蓋の突出部がリフト部材を押し上げると、リフト部材は、回動軸を中心に回動して、容器本体の底部に対して傾斜する。そして、容器本体から蓋を外すと、リフト部材は回動軸を中心に回動して元の姿勢に戻る。
【００１３】
請求項４に記載の発明は、容器本体には、底部側から起立して彫刻刀の端部に当接するストッパが設けてあり、前記ストッパは、リフト部材の隣接する仕切の中央に配置されており、リフト部材が押し上げられると、彫刻刀の端部はストッパから外れることを特徴とする請求項２に記載の彫刻刀ケースである。
【００１４】
請求項４に記載の発明では、リフト部材が押し上げられていない状態では、彫刻刀の端部が、容器本体に設けたストッパに当接する。そのため、容器本体内における各彫刻刀の位置は、仕切とストッパによって固定される。また、リフト部材が押し上げられると、彫刻刀の端部がストッパから外れるので、彫刻刀が取り出し易い。
【００１５】
請求項５に記載の発明は、前記蓋は、容器本体よりも一回り大きい器形状を有し、前記突出部は、器の内側に配置されていることを特徴とする請求項１乃至請求項４のいずれかに記載の彫刻刀ケースである。
【００１６】
請求項５に記載の発明では、蓋が容器本体よりも一回り大きい器形状を有するので、彫刻刀を使用する際に、作業場に蓋と容器本体とを別々に置く必要がなく、省スペース化を図ることができる。また、裏返した蓋の上に容器本体を載せると、蓋の突出部が容器本体の底部の孔に挿入される。そのため、蓋と容器本体とが位置ずれしない。よって、蓋に対して容器本体が摺動しない。
さらに、蓋の器の内側に容器本体が配置されるので、彫刻刀を露出させた状態の容器本体の高さは、彫刻刀を格納している状態の容器本体の高さとほとんど変わらない。そのため、彫刻刀を露出させた状態の容器本体の重心は低く維持され、容器本体がひっくり返る可能性が低い。よって、彫刻刀が散乱する危険が少なく、安全である。
【発明の効果】
【００１７】
本発明の彫刻刀ケースは、彫刻刀を使用する際に、蓋の上に容器本体を配置し、蓋の突出部が容器本体の孔を貫通し、容器本体のリフト部材の一部又は全体を押し上げるので、彫刻刀の一部又は全体が容器本体から露出する。そのため、彫刻刀が取り出し易い。
【図面の簡単な説明】
【００１８】
【図１】本発明の一実施形態に係る彫刻刀ケースの斜視図である。
【図２】図１の彫刻刀ケースの容器本体の組立斜視図である。
【図３】図１の彫刻刀ケースの蓋を裏返した状態の斜視図である。
【図４】図２の容器本体の分解斜視図である。
【図５】図４の容器本体のリフト部材を別の角度から見た斜視図である。
【図６】図４の容器本体のガード部材を別の角度から見た斜視図である。
【図７】リフト部材とガード部材を外した状態の容器本体を、裏返した蓋に重ねた状態を示す斜視図である。
【図８】リフト部材とガード部材を備えた状態の容器本体を、裏返した蓋に重ねた状態を示す斜視図である。
【図９】容器本体に彫刻刀を収容した状態を示す斜視図である。
【図１０】図９のＡ−Ａ断面図である。
【図１１】彫刻刀を収容した容器本体を、裏返した蓋に重ねた状態を示す斜視図である。
【図１２】図１１のＢ−Ｂ断面図である。
【図１３】蓋が容器本体を開閉する際における、蓋と容器本体の係合関係を示す斜視図である。
【図１４】容器本体を蓋で閉じる途中の状態を示す側面図である。
【図１５】図１４のＣ−Ｃ断面図である。
【図１６】容器本体を蓋で閉じた状態を示す側面図である。
【図１７】図４とは別の彫刻刀ケースの分解斜視図である。
【図１８】図１７の彫刻刀ケースにおいて、裏返した蓋にリフト部材を外した容器本体を重ねた状態を示す斜視図である。
【図１９】（ａ）は、図１７の彫刻刀ケースにおいて、彫刻刀が容器本体内に収容されている状態を示す断面図であり、（ｂ）は、（ａ）の状態からリフト部材が押し上げられ、彫刻刀が容器本体から露出している状態を示す断面図である。
【発明を実施するための形態】
【００１９】
以下、図面を参照しながら説明する。
図１に示す様に、彫刻刀ケース１は、容器本体２と蓋３とで構成されている。容器本体２内には複数の彫刻刀４ａ〜４ｅが収納されている。そして、容器本体２は、蓋３で開閉される。各図の容器本体２と蓋３において、収容した彫刻刀４ａ〜４ｅの刃先側を前側、柄尻側を後側と定義する。
【００２０】
図２、図４に示す様に、容器本体２は、リフト部材５とガード部材６とを備えている。
容器本体２は、長方形形状の底壁７（底部）と周壁８ａ〜８ｄとを有する、上方が開口した器状の部材である。
【００２１】
底壁７は、平らな板状を呈している。図４に示す様に、底壁７には、底壁７の表裏を貫通する孔１１ａ、１１ｂが設けてある。孔１１ａ、１１ｂは、底壁７の長手方向にのびる長孔であり、底壁７の短手方向（左右方向）に所定の間隔を置いて平行に配置されている。
【００２２】
また、底壁７には、孔１１ａ、１１ｂから前側（前後は図面に表記）に離間した位置に、孔１３ａ、１３ｂを有する薄板状の支持部１２ａ、１２ｂが設けられている。支持部１２ａ、１２ｂは、底壁７の長手方向（前後方向）に沿って配置されている。支持部１２ａ、１２ｂは、互いに平行で且つ対向している。なお、底壁７における、支持部１２ａ、１２ｂが固定された部位には、孔１４ａ、１４ｂが設けられている。
【００２３】
周壁８ａ〜８ｄは、枠形状を構成しており、それぞれ底壁７の縁に固着されている。
周壁８ａは、底壁７の後方側の短い縁に固着されている。周壁８ａの内側面には、薄板状のストッパ１５ａ〜１５ｅが一体固着されている。各ストッパ１５ａ〜１５ｅは、左右方向に所定の間隔を置いて配置され、周壁８ａ及び底壁７に対して直交している。
【００２４】
周壁８ｂは、内面及び外面ともに平坦な板状部材で構成されている。周壁８ｂは、底壁７の他方の短い縁に固着されている。すなわち、周壁８ａと周壁８ｂは対向している。
【００２５】
周壁８ｃと周壁８ｄは、構造が左右対称である。周壁８ｃと周壁８ｄは、底壁７の一対の長い縁に固着されている。すなわち、周壁８ｃと周壁８ｄは対向している。
図示の都合上、以下では、周壁８ｃと周壁８ｄの構造において、外面側は周壁８ｄを参照しながら説明し、内面側は周壁８ｃを参照しながら説明する。各符号において、同一の数字番号は周壁８ｃ、８ｄの同一の構成を指し、周壁８ｃの部位には「ａ」を付し、周壁８ｄの部位には「ｂ」を付している。
【００２６】
周壁８ｄ（８ｃ）の外面には、突起１６ｂ（１６ａ）が設けられている。突起１６ｂ（１６ａ）は、後方側の周壁８ａに近い後側に設けられている。また、周壁８ｄ（８ｃ）の前側には孔１７ｂ（１７ａ）が設けられている。孔１７ｂ（１７ａ）は、周壁８ｄ（８ｃ）の外面から内面に貫通する孔である。
【００２７】
また、周壁８ｄ（８ｃ）の外面には、周壁８ｄ（８ｃ）の長さの８０％程度の長さを有する溝１８ｂ（１８ａ）が設けられている。溝１８ｂ（１８ａ）の前端は開放されており、溝１８ｂ（１８ａ）の後端には段２１ｂ（２１ａ）が形成されている。溝１８ｂ（１８ａ）は、各図では直線状に描写しているが、周壁８ｄ（８ｃ）の長手方向にのびてわずかに湾曲しており、後端側へいくほど底壁７に近付いており、突起２０ｂ（２０ａ）を設けた位置付近から後端側は、底壁７と平行にのびている。
溝１８ｂ（１８ａ）内には、突条１９ｂ（１９ａ）と突起２０ｂ（２０ａ）とが設けられている。突条１９ｂ（１９ａ）は、溝１８ｂ（１８ａ）における周壁８ｄ（８ｃ）の高さ方向の中央部付近に配置されている。
突起２０ｂ（２０ａ）は、段２１ｂ（２１ａ）の近くに設けられている。
周壁８ｄ（８ｃ）に溝１８ｂ（１８ａ）を設けた結果、周壁８ｄ（８ｃ）の上端は、外側へ向かうフランジ形状を呈している。
【００２８】
一方、周壁８ｃ（８ｄ）の内面は、次の様に構成されている。
周壁８ｃ（８ｄ）における、孔１７ａ（１７ｂ）の近傍には突起２４ａ（２４ｂ）が設けられている。突起２４ａ（２４ｂ）は、孔１７ａ（１７ｂ）よりも底壁７側であって、且つ、前側に配置されている。
また、周壁８ｃ（８ｄ）における後端付近には、凹部２２ａ（２２ｂ）が設けられている。
【００２９】
リフト部材５は、図４に示す様に、薄い板状の本体２５と、回動軸２６ａ、２６ｂと、仕切２７ａ〜２７ｄと、受け部２８ａ〜２８ｅとを有する。
【００３０】
本体２５は、平面視すると略長方形の形状を呈しており、１つの縁２５ａに突出部２９ａ、２９ｂを有する。突出部２９ａ、２９ｂは同一の方向にのびており、間には空間３７が形成されている。突出部２９ａ、２９ｂは、容器本体２の支持部１２ａと支持部１２ｂの間にちょうど配置可能である。
【００３１】
突出部２９ａ、２９ｂの先端には、それぞれ回動軸２６ａ、２６ｂが一体に形成されている。回動軸２６ａ、２６ｂの軸心は、突出部２９ａ、２９ｂと直交している。また、回動軸２６ａの先端は、突出部２９ａにおける空間３７と反対側へ突出している。回動軸２６ｂの先端は、突出部２９ｂにおける空間３７と反対側へ突出している。回動軸２６ａ、２６ｂの軸心は、同一直線上に配置されている。回動軸２６ａ、２６ｂは、１本の軸であってもよく、本体２５とは異なる素材で本体２５とは別に形成してもよい。本体２５の縁２５ａ、２５ｂの長さは、容器本体２の底壁７の左右方向の幅よりも若干短い。
【００３２】
仕切２７ａ〜２７ｄは、薄い板状の部位であり、同じ大きさ及び形状を有する。仕切２７ａ〜２７ｄは、本体２５における突出部２９ａ、２９ｂを設けた縁２５ａとは反対側の縁２５ｂに沿って、互いに所定の間隔を置いて配置され、各々本体２５に一体固着されている。仕切２７ａ〜２７ｄは、本体２５と直交すると共に、縁２５ｂ側から縁２５ａ側へのびるように本体２５上に配置されている。
【００３３】
受け部２８ａ〜２８ｅは、図４に示す様に、仕切２７ａ〜２７ｄの間と、仕切２７ａの外側と、仕切２７ｄの外側に配置されている。すなわち、各仕切２７ａ〜２７ｄの両側には、受け部２８ａ〜２８ｅが配置されており、各仕切２７ａ〜２７ｄと各受け部２８ａ〜２８ｅは、一体固着されている。各受け部２８ａ〜２８ｅは、本体２５とも一体固着されている。各受け部２８ａ〜２８ｅの上端面は、中央部分がくぼんでいる。
図５に示す様に、本体２５の裏面には、突起３０ａ、３０ｂが所定の間隔を置いて設けられている。
【００３４】
ガード部材６は、図４及び図６に示す様に、板状の本体３１と、仕切３２ａ〜３２ｄと、係合突起３３ａ、３３ｂと、突起３４ａ、３４ｂとを有する。
【００３５】
本体３１は、縁３６ａ〜３６ｄを有し、平面視すると略長方形の形状を呈する板状の部材で構成されている。縁３６ｃと縁３６ｄは、平行にのびており、縁３６ｃの肉厚は、縁３６ｄの肉厚よりも厚い。
【００３６】
縁３６ａ、３６ｂの長さは、縁３６ｃ、３６ｄの長さよりも短い。縁３６ｃ、３６ｄの長さは、容器本体２の左右方向の幅と略等しい。縁３６ａ、３６ｂには、本体３１から垂下するように係合突起３３ａ、３３ｂが設けられている。係合突起３３ａ、３３ｂは、縁３６ａ、３６ｂの一部が切り欠かれて折り曲げられたようにして構成されている。
【００３７】
また、本体３１の上面側における縁３６ｄには、傾斜溝３５ａ、３５ｂが設けられている。傾斜溝３５ａ、３５ｂは、所定の間隔を置いて本体３１の縁３６ｄに形成されている。
【００３８】
図６に示す様に、仕切３２ａ〜３２ｄは、本体３１の縁３６ｄと連続し、本体３１と直交する板状の部材で構成されている。各仕切３２ａ〜３２ｄは、所定の間隔を置いて配置されている。各仕切３２ａ〜３２ｄの間には、空間４０ｂ〜４０ｄが形成されている。また、仕切３２ａにおける仕切３２ｂと反対側（外側）には、空間４０ａが形成されており、仕切３２ｄにおける仕切３２ｃとは反対側（外側）には、空間４０ｅが形成されている。
【００３９】
本体３１の縁３６ｄにおける、仕切３２ａよりも幅方向の外側（縁３６ａ側）には、突起３４ａが形成されている。同様に、縁３６ｄにおける、仕切３２ｄよりも外側には、突起３４ｂが形成されている。すなわち、突起３４ａ、３４ｂは、縁３６ｄの両端付近に設けられている。また、突起３４ａ、３４ｂは、仕切３２ａ〜３２ｄよりも突出長さが短い突起である。
【００４０】
次に、各部材の位置関係について説明する。
リフト部材５は、容器本体２に対して、次のように装着されている。
リフト部材５の回動軸２６ａが、容器本体２の支持部１２ａの孔１３ａに挿入されており、回動軸２６ｂが、支持部１２ｂの孔１３ｂに挿入されている。すなわち、回動軸２６ａ、２６ｂは、孔１３ａ、１３ｂに係合している。また、回動軸２６ａ、２６ｂの直径は、孔１３ａ、１３ｂの直径と略等しいか、若干小さい。よって、リフト部材５は、容器本体２の底壁７に対して回動可能に装着されている。
【００４１】
リフト部材５の縁２５ｂ側が底壁７に近接するとき、図５に示すリフト部材５の突起３０ａ、３０ｂが、底壁７の孔１１ａ、１１ｂに挿入される。このとき、突起３０ａ、３０ｂの先端は、底壁７の孔１１ａ、１１ｂ内に配置される。また、リフト部材５の縁２５ｂ側が底壁７に近接するとき、リフト部材５の縁２５ｂは、容器本体２のストッパ１５ａ〜１５ｅと近接する。そして、各ストッパ１５ａ〜１５ｅと、リフト部材５の仕切２７ａ〜２７ｄは、左右方向に交互に配置されている。すなわち、左側からストッパ１５ａ、仕切２７ａ、ストッパ１５ｂ、仕切２７ｂ、ストッパ１５ｃ、仕切２７ｃ、ストッパ１５ｄ、仕切２７ｄ、ストッパ１５ｅという順で配置されている。
【００４２】
ガード部材６は、容器本体２に対して、次のように装着されている。
ガード部材６の縁３６ａが、容器本体２の周壁８ｃの上端面２３ａ上に載り、さらに係合突起３３ａが、周壁８ｃの孔１７ａに係合している。同様に、ガード部材６の縁３６ｂが、容器本体２の周壁８ｄの上端面２３ｂ上に載り、さらに係合突起３３ｂが、周壁８ｄの孔１７ｂに係合している。また、周壁８ｃの突起２４ａ上に、ガード部材６の突起３４ａが当接している。同様に、周壁８ｄの突起２４ｂ上に、ガード部材６の突起３４ｂが当接している。さらに、ガード部材６の各仕切３２ａ〜３２ｄの先端が、底壁７に当接又は近接している。
【００４３】
次に蓋３の構造について説明する。
蓋３は、容器本体２よりも一回り大きい器状の部材であり、天板９と周壁１０ａ〜１０ｃを有する。
【００４４】
図３に示す様に、蓋３を裏返して平面視すると、天板９は略長方形の形状を呈している。天板９の後端側には縁９ｂがある。また、天板９の裏面９ａにおける、縁９ｂの近くには、突起４１ａ、４１ｂが設けられている。突起４１ａ、４１ｂは、所定の間隔を置いて平行に配置されており、天板９の裏面９ａと直交している。突起４１ａ、４１ｂの先端における、縁９ｂ側には傾斜部４８ａ、４８ｂが設けられており、縁９ｂと反対側には傾斜部４９ａ、４９ｂが設けられている。
【００４５】
周壁１０ａ〜１０ｃは、天板９の縁９ｂ以外の３つの縁に各々連続形成されている。周壁１０ａ〜１０ｃは、天板９に対して、天板９の裏面９ａ側に起立する壁である。周壁１０ａと周壁１０ｂは、天板９の前後方向にのびるように配置されて互いに対向しており、対象構造を呈している。以下では、周壁１０ｂの構造を説明するが、周壁１０ａの重複する説明を省略するため、周壁１０ｂの部材の符号に続き、周壁１０ａの部材の符号を括弧書きで記載する。
【００４６】
周壁１０ｂ（１０ａ）の前端は、周壁１０ｃと接続されており、後端は、天板９の後端の縁９ｂの中央側へ若干湾曲した形状を呈している。また、周壁１０ｂ（１０ａ）の後端付近には、段部４３ｂ（４３ａ）が形成されている。段部４３ｂ（４３ａ）は、周壁１０ｂ（１０ａ）の天板９からの高さが、前端側から後端側へ低くなるように形成されている。そして、段部４３ｂ（４３ａ）よりも後端側には、支持部４６ｂ（４６ａ）が形成されている。支持部４６ｂ（４６ａ）は、天板９と平行である。
【００４７】
周壁１０ｂ（１０ａ）の内側には、突条４２ｂ（４２ａ）が設けられている。突条４２ｂ（４２ａ）は、各図では直線状に描写しているが、周壁１０ｂ（１０ａ）の長手方向にのびてわずかに湾曲しており、後端側へ行くほど天板９から遠ざかっている。突条４２ｂ（４２ａ）は、容器本体２の溝１８ｂ（１８ａ）と係合可能に湾曲している。
【００４８】
突条４２ｂ（４２ａ）の後端４７ｂ（４７ａ）は、段部４３ｂ（４３ａ）よりは前端側に配置されている。突条４２ｂ（４２ａ）の後端付近には、突条の周壁１０ｂ（１０ａ）からの突出高さが高くなる凸部４４ｂ（４４ａ）と、突出高さが低くなる凹部４５ｂ（４５ａ）とが形成されている。凸部４４ｂ（４４ａ）と凹部４５ｂ（４５ａ）は隣接している。
【００４９】
周壁１０ｃは、天板９の前端側の縁に配置された壁であり、天板９の左右方向にのび、両端が周壁１０ａ、１０ｂと接続されている。すなわち、周壁１０ｃは、周壁１０ａ、１０ｂと連続しており、天板９の縁９ｂには周壁が設けられていないが、周壁１０ａ、１０ｂの後端は縁９ｂの中央側へ湾曲しており、蓋３は、略器形状を呈している。
彫刻刀ケース１は、以上説明した各部材によって構成されている。
【００５０】
次に、彫刻刀ケース１の容器本体２と蓋３の関係を説明する。
容器本体２を蓋３で閉じ、図１に示す状態にする際には、図１４に示す様に、容器本体２の前方で且つ上方から天板９を上にした蓋３を接近させ、容器本体２の周壁８ｄ（８ｃ）の溝１８ｂ（１８ａ）に蓋３の突条４２ｂ（４２ａ）を係合させる。図１４で見て、溝１８ｂ（１８ａ）の高さ方向の幅は、突条４２ｂ（４２ａ）の高さ方向の幅よりも大きい。
【００５１】
溝１８ｂ（１８ａ）の前端に突条４２ｂ（４２ａ）の後端が係合すると、図１４に示す様に、容器本体２に対して蓋３は傾斜する。このとき、図１５に示す様に、容器本体２側のガード部材６の傾斜溝３５ａ、３５ｂ内を、蓋３の天板９の裏面９ａに設けた突起４１ａ、４１ｂが通過する。突起４１ａ、４１ｂには、傾斜部４８ａ、４８ｂが設けられているので、突起４１ａ、４１ｂは傾斜溝３５ａ、３５ｂ内を円滑に通過可能である。
【００５２】
容器本体２に対して、さらに蓋３を後側へ移動させると、溝１８ｂ（１８ａ）内の突起２０ｂ（２０ａ）に、突条４２ｂ（４２ａ）の凸部４４ｂ（４４ａ）が係合する。そして、若干の抵抗を受けながら凸部４４ｂ（４４ａ）が突起２０ｂ（２０ａ）を通過し、容器本体２側の突起２０ｂ（２０ａ）と、蓋３側の凹部４５ｂ（４５ａ）が係合し、容器本体２が蓋３で閉じられ、図１に示す状態となる。
【００５３】
このとき、溝１８ｂ（１８ａ）の壁２１ｂ（２１ａ）に、突条４２ｂ（４２ａ）の後端４７ｂ（４７ａ）が近接又は当接している。また、容器本体２の周壁８ｄ（８ｃ）の突起１６ｂ（１６ａ）上に、蓋３の周壁１０ｂ（１０ａ）の支持部４６ｂ（４６ａ）が載り、段部４３ｂ（４３ａ）が突起１６ｂ（１６ａ）に当接又は近接している。
【００５４】
蓋３は、透明な素材で形成すると、蓋３を閉じた状態で彫刻刀ケース１の内部を視認することができる。さらに彫刻刀ケース１では、容器本体２が蓋３で閉じられていても、図１に示す様に、蓋３の縁９ｂに周壁が設けられていないことにより、彫刻刀ケース１の内部が見える。すなわち、容器本体２や蓋３が透明な素材で形成されていなくても、蓋３が閉じられた彫刻刀ケース１の中を見ることができる。そのため、全ての彫刻刀４ａ〜４ｅが、揃っているか否かを、蓋３を開けることなく確認することができる。
【００５５】
蓋３は、上述の逆の手順で容器本体２から外すことができる。
蓋３を外す際には、ガード部材６の縁３６ｃが、蓋３側の突起４１ａ、４１ｂと衝突することがあるが、突起４１ａ、４１ｂには、傾斜部４９ａ、４９ｂが設けられているので、ガード部材６の縁３６ｃに対して傾斜部４９ａ、４９ｂが摺動し、引っ掛かることがない。
【００５６】
蓋３が外された容器本体２は、図９及び図１０に示す様に、リフト部材５の縁２５ｂ側が底壁７に近接又は当接している。また、底壁７の孔１１ａ、１１ｂには、図１０に示す様に、リフト部材５の突起３０ａ、３０ｂが配置されている。
【００５７】
各彫刻刀４ａ〜４ｅは、リフト部材５の上に載置すると共に、図１３に示すリフト部材５上の仕切２７ａ〜２７ｄによって仕切られている。リフト部材５上では、各彫刻刀４ａ〜４ｅは、受け部２８ａ〜２８ｅ上に載置される。すなわち、各彫刻刀４ａ〜４ｅの柄尻側の端部は、受け部２８ａ〜２８ｅによって支持されており、リフト部材５との間には若干の隙間が生じている。また、各彫刻刀４ａ〜４ｅの刃先側は、図１３に示す空間４０ａ〜４０ｅを貫通し、ガード部材６の仕切３２ａ〜３２ｄによって仕切られている。すなわち、各彫刻刀４ａ〜４ｅは、柄尻側付近と刃先側付近で各々仕切２７ａ〜２７ｄと、仕切３２ａ〜３２ｄによって仕切られている。
【００５８】
彫刻刀４ａ（４ｂ〜４ｅ）の柄尻側端部は、ストッパ１５ａ（１５ｂ〜１５ｅ）に当接又は近接している。そのため、容器本体２内において、彫刻刀４ａ（４ｂ〜４ｅ）は、ストッパ１５ａ（１５ｂ〜１５ｅ）によって前後方向の移動が規制されている。
【００５９】
そして、彫刻刀４ａを使用する際には、図１１、図１２に示す様に、裏返した蓋３の上に容器本体２を載せる。このとき、蓋３の周壁１０ａ（１０ｂ）の突条４２ａ（４２ｂ）上に容器本体２の突条１９ｂ（１９ａ）が載置され、蓋３の周壁１０ａの支持部４６ａ（４６ｂ）上に容器本体２の突起１６ｂ（１６ａ）が載置される。
【００６０】
また、蓋３の天板９の突起４１ａ、４１ｂは、図７に示す様に、容器本体２の底壁７の孔１１ｂ、１１ａを貫通し、底壁７から突出する。そして、図８に示す様に、リフト部材５が回動軸２６ａ、２６ｂを中心に回動し、仕切２７ａ〜２７ｄを設けた縁２５ｂ側が底壁７から持ち上げられる。
【００６１】
これを断面視すると、図１２に示す様な状態となる。図１２に示す様に、容器本体２の底壁７の孔１１ａ（１１ｂ）を、蓋３の突起４１ｂ（４１ａ）が貫通すると、突起４１ｂ（４１ａ）によってリフト部材５の突起３０ａ（３０ｂ）が上方へ押圧され、リフト部材５が回動軸２６ａ（２６ｂ）を中心に回動し、リフト部材５の縁２５ｂが底壁７から離れる。
【００６２】
その結果、彫刻刀４ａ〜４ｅの柄尻側が持ち上げられ、柄尻側の端部が容器本体２のストッパ１５ａ〜１５ｅから外れる。そのため、彫刻刀４ａ〜４ｅの柄尻側には障害物がない。そして、受け部２８ａ〜２８ｅ（図８）によって、彫刻刀４ａ〜４ｅと板状のリフト部材５の間には若干の隙間が生じている。よって、作業者は、彫刻刀４ａ〜４ｅを摘まんで取り出し易い。
【００６３】
ここで、リフト部材５に突起３０ａ、３０ｂを設けたことによって、蓋３の突起４１ａ、４１ｂの必要な突出高さを低くすることができる。そのため、容器本体２を閉じる際に、蓋３の突起３０ａ、３０ｂが、容器本体２内の部材（特にガード部材６）に衝突しにくくなる。
【００６４】
また、各彫刻刀４ａ〜４ｅは、柄尻側が持ち上げられて底壁７からの高さが刃先側よりも高くなっている。そのため、各彫刻刀４ａ〜４ｅには、容器本体２内に収容される方向に重力が作用し、容器本体２から後方側への不用意な移動が阻止される。
【００６５】
さらに、図１１、図１２に示す状態においても、各彫刻刀４ａ〜４ｅは、仕切２７ａ〜２７ｄと、ガード部材６の仕切３２ａ〜３２ｄ（図１３）によって仕切られており、左右方向の移動が規制されている。よって、各彫刻刀４ａ〜４ｅの位置が変動せず、容器本体２から各彫刻刀４ａ〜４ｅを取り出し易い。
また、容器本体２内には、各彫刻刀が整然と並んで収納されているので、容器本体２内の彫刻刀が邪魔になることなく、使用後の彫刻刀を速やかに元の位置に戻すことができる。
【００６６】
彫刻刀ケース１は、図１１、図１２に示す状態から逆さまにしても、各彫刻刀４ａ〜４ｅは、ガード部材６によって落下が阻止される。すなわち、不注意によって彫刻刀ケース１が作業台から落下しても、各彫刻刀４ａ〜４ｅが、彫刻刀ケース１から飛び出して散乱しにくく、安全である。
【００６７】
図１７、図１８は、本発明の別の実施形態の彫刻刀ケース５０を示している。
図１７に示す様に、彫刻刀ケース５０は、容器本体５１、蓋５２、リフト部材５３を有する。容器本体５１は、平面視すると長方形の薄い板状の底壁５５を有する。底壁５５の４つの縁には、各々周壁５１ａ〜５１ｄが底壁５５と直交するように連続している。すなわち、容器本体５１は器形状を呈している。底壁５５には複数の孔５６ａ〜５６ｄが設けられている。
【００６８】
蓋５２は、容器本体５１よりも一回り大きい器状の部材である。すなわち、蓋５２は、天板５８と周壁５２ａ〜５２ｄを有する。天板５８は、薄い板状の部材であり、複数箇所に突起５７ａ〜５７ｄが設けられている。
【００６９】
リフト部材５３は、薄い板状の部材であり、容器本体５１内にちょうど嵌まる大きさ及び形状を有する。すなわち、リフト部材５３は、４つの縁５３ａ〜５３ｄを有する。リフト部材５３の後端側には、仕切５４ａ〜５４ｅが設けられており、前端側には仕切５９ａ〜５９ｅが設けられている。仕切５４ａ〜５４ｅは、互いに平行に所定間隔を置いて配置されている。各仕切５９ａ〜５９ｅは、各仕切５４ａ〜５４ｅと同じ間隔で互いに平行に配置されている。リフト部材５３上には、図示しない彫刻刀の刃先側から柄尻側に至る全体が載置される。
【００７０】
リフト部材５３を容器本体５１内に入れると、縁５３ａ〜５３ｄは、各々周壁５１ａ〜５１ｄと近接する。また、リフト部材５３は、底壁５５上に載置され、容器本体５１内を上下に移動可能である。このリフト部材５３の上に、彫刻刀６０が載置される。
【００７１】
そして、裏返した蓋５２の上に容器本体５１を重ねると、図１８に示す様に、容器本体５１の底壁５５の孔５６ａ〜５６ｄを、蓋５２の天板５８に設けた突起５７ａ〜５７ｄが貫通する。そのため、突起５７ａ〜５７ｄの先端は、容器本体５１の底壁５５から突出する。
【００７２】
そのため、リフト部材５３は、突起５７ａ〜５７ｄによって押し上げられ、図１９（ａ）に示す状態から、図１９（ｂ）に示す状態となる。図１９（ｂ）に示す状態では、蓋５２の突起５７ａ〜５７ｄによって、リフト部材５３が押し上げられ、リフト部材５３が容器本体５１内を上昇し、彫刻刀６０が容器本体５１から露出し、取り出し易くなる。
【符号の説明】
【００７３】
１    彫刻刀ケース
２    容器本体
３    蓋
４ａ〜４ｅ  彫刻刀
５    リフト部材
７    容器本体の底壁（底部）
１１ａ、１１ｂ  容器本体の底壁の孔
１２ａ、１２ｂ  回動軸の支持部
１５ａ〜１５ｅ  ストッパ
２６ａ、２６ｂ  回動軸
２７ａ〜２７ｄ  リフト部材の仕切
４１ａ、４１ｂ  蓋の突起（突出部）
【図１】
2014018238.tif 000003
【図２】
2014018238.tif 000004
【図３】
2014018238.tif 000005
【図４】
2014018238.tif 000006
【図５】
2014018238.tif 000007
【図６】
2014018238.tif 000008
【図７】
2014018238.tif 000009
【図８】
2014018238.tif 000010
【図９】
2014018238.tif 000011
【図１０】
2014018238.tif 000012
【図１１】
2014018238.tif 000013
【図１２】
2014018238.tif 000014
【図１３】
2014018238.tif 000015
【図１４】
2014018238.tif 000016
【図１５】
2014018238.tif 000017
【図１６】
2014018238.tif 000018
【図１７】
2014018238.tif 000019
【図１８】
2014018238.tif 000020
【図１９】
2014018238.tif 000021